(57)【要約】【課題】テークアップユニットの寸法をコンパクトに設計可能とする。【解決手段】スプロケット４１の回転軸４２を支持する軸支持体１１と、その軸支持体１１を長さ方向に沿って案内するガイドフレーム１２と、軸支持体１１に形成されたねじ孔１６にねじ込まれ、ガイドフレーム１２の長さ方向に沿って取り付けられるねじ軸１３とを備え、ガイドフレーム１２が底板部１９と、その幅方向両側から同じ向きに立ち上がる一対の側板部２０と、各側板部２０の先端に形成された幅方向内向きのフランジ２１とからなり、軸支持体１１はガイドフレーム１２内にフランジ２１に係合する状態で長さ方向に移動可能に案内され、軸支持体１１のねじ孔１６が回転軸４２に対してガイドフレーム１２の幅方向片側にのみ形成され、ねじ軸１３がガイドフレーム１２内をその長さ方向両側に固定された支持片１４により回転可能に支持される。【選択図】図２
2015068368.tif 000002
【特許請求の範囲】
【請求項１】
スプロケットの回転軸を支持する軸支持体と、その軸支持体を長さ方向に沿って案内するガイドフレームと、前記軸支持体に形成されたねじ孔にねじ込まれ、前記ガイドフレームの長さ方向に沿って取り付けられるねじ軸とを備え、前記ねじ軸の回転により前記軸支持体を前記ガイドフレームの長さ方向に沿って移動させるテークアップユニットであって、
前記ガイドフレームが底板部と、その幅方向両側から同じ向きに立ち上がる一対の側板部と、その各側板部の先端に形成された幅方向内向きのフランジとからなり、前記軸支持体は前記ガイドフレーム内にそのフランジに係合する状態で長さ方向に移動可能に案内され、前記軸支持体のねじ孔が前記回転軸に対して前記ガイドフレームの幅方向片側にのみ形成され、前記ねじ軸が前記ガイドフレーム内をその長さ方向両側に固定された支持片の少なくとも一方により回転可能に支持されたテークアップユニット。
【発明の詳細な説明】
【技術分野】
【０００１】
この発明は、スプロケット間に掛け渡された無端状チェーンのテンションを調整するテークアップユニットに関する。
【背景技術】
【０００２】
一般に、駆動側スプロケットと従動側スプロケットとに掛け渡された無端状チェーンは、所定のテンションで張られていることが必要であり、所定のテンションとしては、駆動側スプロケットと従動側スプロケットとの間隔により設定される。
【０００３】
しかしながら、無端状チェーンは長期間の使用により、たるみが生じることがあり、そのたるみを取るために、駆動側スプロケットと従動側スプロケットとの間隔を調整することにより、所定のテンションに調整するテークアップユニットが知られている。
【０００４】
このようなテークアップユニットとしては、例えば、駆動スプロケットを回転可能に支持する軸支ブロックを、その両側に設けた外向きの案内固定具を介して受動（従動）スプロケットに接近離間する方向にスライド、固定可能に設け、その軸支ブロックの両側において貫通するねじ穴にそれぞれ嵌合される一対のジャッキねじの先端部を反力受け部に当接するようにし、ジャッキねじを固定するロックナットを設けたものが知られている（特許文献１参照）。
【０００５】
このテークアップユニットは、一対のガイドレールの間に取り付けられ、軸支ブロック両側の案内固定具を一対のガイドレールのそれぞれに固定し、一対のジャッキねじの先端部を反力受け部に当接させて、軸支ブロックを支持している。
【０００６】
一方、軸支ブロックは、ガイドレールに対して案内固定具の固定を解除し、ガイドレールに沿って、ジャッキねじの回転により移動する。軸支ブロックの移動により、駆動スプロケットを従動スプロケットに対して接近離間させてチェーンのテンションを調整する。
【先行技術文献】
【特許文献】
【０００７】
【特許文献１】特開２０１１−２３５９８０公報
【発明の概要】
【発明が解決しようとする課題】
【０００８】
上記特許文献１に記載のテークアップユニットの軸支ブロックは、一対のジャッキねじを嵌合するねじ穴を両側に貫通させるために、その両側方向の幅を大きく形成する必要がある。
【０００９】
また、軸支ブロックの両側に案内固定具が反対方向外向きに突き出して設けられ、その案内固定具が一対のガイドレールのそれぞれに固定されている。このため、軸支ブロック両側の案内固定具を固定する一対のガイドレールの間隔を大きく設定する必要があり、テークアップユニットを備えた装置のサイズが大きくなるという問題があった。
【００１０】
そこで、この発明の課題は、テークアップユニットの寸法をコンパクトに設計可能とすることにある。
【課題を解決するための手段】
【００１１】
前記の課題を解決するために、この発明に係るテークアップユニットは、スプロケットの回転軸を支持する軸支持体と、その軸支持体を長さ方向に沿って案内するガイドフレームと、前記軸支持体に形成されたねじ孔にねじ込まれ、前記ガイドフレームの長さ方向に沿って取り付けられるねじ軸とを備え、前記ねじ軸の回転により前記軸支持体を前記ガイドフレームの長さ方向に沿って移動させるテークアップユニットであって、前記ガイドフレームが底板部と、その幅方向両側から同じ向きに立ち上がる一対の側板部とからなり、各側板部の先端に幅方向内向きのフランジが形成され、前記軸支持体は前記ガイドフレーム内にそのフランジに係合する状態で長さ方向に移動可能に案内され、前記軸支持体のねじ孔が前記回転軸に対して前記ガイドフレームの幅方向片側にのみ形成され、前記ねじ軸が前記ガイドフレーム内をその長さ方向両側に固定された支持片の少なくとも一方により回転可能に支持された構成を採用することができる。
【００１２】
この構成によると、軸受体を移動させるねじ軸が一本であるため、スプロケットの回転軸に対して両側にねじ孔を形成する場合よりも、軸受体の幅を小さくすることができる。また、ガイドフレームは、軸受体と係合するフランジが幅方向内向きに形成されているため、ガイドフレームの幅寸法を抑制することができる。
【発明の効果】
【００１３】
この発明のテークアップユニットは、軸受体の幅寸法、ガイドフレームの幅寸法を小さくすることで、そのテークアップユニットを備えた装置をコンパクトに設計することができる。
【図面の簡単な説明】
【００１４】
【図１】この発明の第一の実施形態のテークアップユニットを示す斜視図
【図２】同上のテークアップユニットを示す分解斜視図
【図３】同上のテークアップユニットを示す縦断面図
【図４】同上のテークアップユニットの一部切欠平面図
【図５】第二の実施形態のテークアップユニットを示す縦断面図
【図６】同上のテークアップユニットの要部を下方から見た分解斜視図
【発明を実施するための形態】
【００１５】
以下、この発明の第一の実施形態に係るテークアップユニットを図１〜図４に基づいて説明する。このテークアップユニットは、図１〜４に示すように、スプロケット４１の回転軸を支える軸支持体１１と、軸支持体１１を長さ方向に沿って移動可能に案内するガイドフレーム１２と、軸支持体１１に形成されたねじ孔１６にねじ込まれ、ガイドフレーム１２の長さ方向に沿って取り付けられるねじ軸１３と、ガイドフレーム１２の長さ方向両側でねじ軸１３を回転可能に支持する一対の支持片１４、１４とを備えている。
【００１６】
軸支持体１１は、直方体の中実の金属体を加工したものであり、スプロケット４１の回転軸であるボルト４２の軸部が挿通する貫通孔１５と、ねじ軸１３がねじ込まれるねじ孔１６とが形成されている。ねじ孔１６は軸支持体１１を貫通し、貫通孔１５に対して直角にかつ、ねじれの位置となるように配置されている（図３参照）。
【００１７】
軸支持体１１の各面のうち、貫通孔１５の一方の開口部を有する面に固定溝１７がねじ孔１６に沿って形成され、固定溝１７の底部に貫通孔１５の一方の開口部が配置される。また、軸支持体１１の各面のうち、固定溝１７が形成された面の対向面には、貫通孔１５を挟んで両側縁部に段差溝１８が形成され、段差溝１８はねじ孔１６に沿って軸支持体１１の全長にわたって切り欠いて形成されている。
【００１８】
軸支持体１１の貫通孔１５に挿通されるボルト４２は、その頭部の一部が切り欠かれて固定溝１７内に嵌め合わされ、頭部を溝側壁に突き当てることで回り止めされる。ボルト４２の軸部がスプロケット４１の回転軸となり、ボルト４２の軸部に、内周部に軸受４１ａの固定されたスプロケット４１がスペーサ４６を介して挿通され、ナット４７が締め付けられる。これにより、ボルト４２の軸部にスプロケット４１が回転可能に固定される。
【００１９】
ガイドフレーム１２は、図２、３に示すように、帯状の底板部１９と、底板部１９の幅方向両端部から同じ向きに立ち上がる側板部２０、２０と、各側板部２０の先端から幅方向内向き形成されたフランジ２１とからなる。
【００２０】
ガイドフレーム１２内に軸支持体１１が、段差溝１８、１８をフランジ２１、２１に係合する状態で保持され、軸支持体１１がガイドフレーム１２内を長さ方向に移動可能に案内される。ガイドフレーム１２のフランジ２１、２１が、段差溝１８の溝壁に突き当たり係合することで、ガイドフレーム１２内から軸支持体１１の脱落が防止される。
【００２１】
この係合により、ガイドフレーム１２内において、軸支持体１１ががたつくことなく、安定した姿勢で案内され得る。なお、軸支持体１１は、段差溝１８、１８を形成せずに、貫通孔１５の他方の開口部を有する面にガイドフレーム１２のフランジ２１、２１を突き当てるようにしてもよい。要は、軸支持体１１がガイドフレーム１２内において、フランジ２１、２１に係合して脱落が防止されればよい。
【００２２】
図３に示すように、ガイドフレーム１２内の軸支持体１１は、貫通孔１５がガイドフレーム１２の側板部２０の立ち上がり方向に形成され、ねじ孔１６がガイドフレーム１２の長さ方向に形成されている。また、ねじ孔１６は貫通孔１５に対してガイドフレーム１２の幅方向片側にのみ形成される。このため、軸支持体１１は、両側に形成した場合と比較してガイドフレーム１２の幅方向の寸法を小さくすることが可能となる。
【００２３】
ねじ軸１３は、全長がねじ部となるボルトの軸部が使用される。ボルトの軸部を使用することで、ねじ軸１３の一方の端部のみにナット４３を締め付けて、ねじ軸１３を支持片１４を介してガイドフレーム１２に取り付けることができる。なお、ねじ軸１３としては、ボルトの軸部に限られず、軸部材におねじとなるねじ部を形成したものを使用することができる。
【００２４】
ねじ軸１３を回転可能に支持する一対の支持片１４は、直方体の中実の金属片を加工したものであり、その厚み方向（ガイドフレーム１２の長さ方向）にねじ軸１３を挿通する貫通孔２２が形成されている。支持片１４の各外面のうち、貫通孔２２の一方の開口部を有する側面１４ａには、支持片１４の長さ方向（ガイドフレーム１２の幅方向）両側縁に段差溝２３が形成されている。なお、一対の支持片１４のうち、少なくとも一方に貫通孔２２を形成すればよく、一対の支持片１４によりねじ軸１３が回転可能に支持されればよい。
【００２５】
段差溝２３は、図２に示すように、ガイドフレーム１２の側板部２０の立ち上がり方向に沿って支持片１４の全長にわたって切り欠いて形成されている。支持片１４の長さ方向の両端面１４ｂ、１４ｂの間に固定具４４の固定ねじ孔２４が貫通して形成されている（図４参照）。
【００２６】
一対の支持片１４は、ガイドフレーム１２の長さ方向の両端部に側面１４ａが相互に対向する状態で嵌められ、段差溝２３がガイドフレーム１２の側板部２０に係合する。この係合状態では、各支持片１４の貫通孔２２と軸支持体１１のねじ孔１６とが同一の中心線上に位置しており、ガイドフレーム１２の側板部２０の幅方向の外面と、支持片１４の端面１４ｂが段差なく配置される。
【００２７】
また、ガイドフレーム１２の長さ方向両側に支持片１４が嵌められる状態で、支持片１４、１４に固定具４４がねじ部材４５により固定されている。固定具４４は、テークアップユニットを被固定部材に固定するものであって、一対の支持片１４及びガイドフレーム１２の側板部２０に対する取り付け板部４４ａと、これと直角に連結し、被固定部材に固定される固定板部４４ｂとからなる。
【００２８】
取り付け板部４４ａの両側に取り付け孔４４ｃが形成され、固定板部４４ｂの二箇所に固定孔４４ｄが形成されている。図４に示すように、ガイドフレーム１２の両側に嵌められた一対の支持片１４の固定ねじ孔２４と、固定具４４の取り付け孔４４ｃとを一致させた状態で、ねじ部材４５が締め付けられる。
【００２９】
ねじ部材４５による締め付けで、一対の支持片１４、１４がガイドフレーム１２の長さ方向両側に固定される。一方の支持片１４の貫通孔２２に挿通されたねじ軸１３が軸支持体１１のねじ孔１６にねじ込まれ、他方の支持片１４の貫通孔２２に挿通される。他方の支持片１４の貫通孔２２から突き出したねじ軸１３がナット４３により固定される。これにより、ねじ軸１３がガイドフレーム１２内に支持片１４によりその長さ方向に沿って回転可能に取り付けられる。
【００３０】
この発明の実施形態に係るテークアップユニットは上記のように構成され、例えばコンベアやチェーンコンベア等のベースフレームなどに固定具４４を介して固定される。ベースフレームの一端に取り付けられた駆動スプロケットとスプロケット４１との間に無端状チェーンが掛け渡される。
【００３１】
無端状チェーンを所定のテンションで掛け渡すために、ねじ軸１３のナット４３を緩め、ねじ軸１３とするボルトを回転させて、ガイドフレーム１２内において軸支持体１１を移動させて、駆動側スプロケットとスプロケット４１との間隔を調整する。その後、ねじ軸１３のナット４３を締め付けることにより、無端チェーンが所定のテンションで掛け渡される。
【００３２】
一方、長期間の使用等により、無端状チェーンにたるみが生じた場合、ねじ軸１３のナット４３を緩め、ねじ軸１３とするボルトを回転させる。この回転により、ガイドフレーム１２内において軸支持体１１を移動させ、駆動側スプロケットとスプロケット４１との間隔を広げて、無端チェーンに所定のテンションに調整することができる。
【００３３】
次に、この発明の第二の実施形態に係るテークアップユニットを図５〜図６に基づいて説明する。この実施形態に係るテークアップユニットは、軸支持体１１の固定溝１７を形成せずに、軸支持体１１の貫通孔１５に交差するようにピン４８を挿通した点で、上述した第一の実施形態と相違する。その他の構成は、第一の実施形態と同一に考えられるものについて、同符号を用いて、その説明を省略する。
【００３４】
この実施形態は、軸支持体１１の貫通孔１５に交差し、かつねじ孔１６に沿ってピン孔４９が形成され、このピン孔４９にピン４８が挿通されている。ボルト４２は、ナット４７を介して、その頭部がスプロケット４１側に位置する状態で、貫通孔１５に締め付けられる。ボルト４２は、ピン４８によりそれ以上の締め付けが規制され、ナット４７の締め付けにより、貫通孔１５から抜け止めされる。
【符号の説明】
【００３５】
１１  軸支持体
１２  ガイドフレーム
１３  ねじ軸
１４  支持片
１４ａ  側面
１４ｂ  端面
１５  貫通孔
１６  ねじ孔
１７  固定溝
１８  段差溝
１９  底板部
２０  側板部
２１  フランジ
２２  貫通孔
２３  段差溝
２４  固定ねじ孔
４１  スプロケット
４１ａ  軸受
４２  ボルト
４３  ナット
４４  固定具
４４ａ  取り付け板部
４４ｂ  固定板部
４４ｃ  取り付け孔
４４ｄ  固定孔
４５  ねじ部材
４６  スペーサ
４７  ナット
４８  ピン
４９  ピン孔
【図１】
2015068368.tif 000003
【図２】
2015068368.tif 000004
【図３】
2015068368.tif 000005
【図４】
2015068368.tif 000006
【図５】
2015068368.tif 000007
【図６】
2015068368.tif 000008